(57)【要約】【課題】長期間にわたって使用された場合などであっても、第１カードに比べて長さが短い第２カードを所定の装着位置に確実に装着させることができる。【解決手段】スライド部材６に支持され、第１カード１の挿入を許容させる所定の退避位置と、第１カード１と係合する所定の突出位置との間で変位可能な係合部材を備えるとともに、この係合部材が、挿入された第１カード１の移動に伴って所定の退避位置に変位する第１係合部材１０と、この第１係合部材１０に回動可能に保持され、挿入された第２カード２と当接し、第２カード２の移動に伴って回動した後、スライド部材６を装置奥側へ移動させる第２係合部材１１とから成る。【選択図】図３
2006351283.tif 000002
【特許請求の範囲】
【請求項１】
第１カード、及びこの第１カードに比べて長さ寸法の短い第２カードのそれぞれが装着される所定の装着位置を有するハウジングと、カード挿抜方向に摺動可能であって上記ハウジングの上記所定の装着位置に装着された上記第１カード、上記第２カードを挿入口の方向へ押し出すスライド部材と、このスライド部材をカード排出方向へ付勢する付勢部材と、上記スライド部材を、上記付勢部材の付勢力に抗して上記所定の装着位置に上記第１カード、あるいは上記第２カードが装着された状態でロックするロック手段とを備え、
上記スライド部材は、上記第１カードが当接し、この第１カードの移動に伴ってこのスライド部材を装置奥側へ摺動させる当接部を有し、
上記スライド部材に支持され、挿入された上記第１カードの移動を許容させる所定の退避位置と、挿入された上記第１カードと係合する所定の突出位置との間で変位可能な係合部材を備えるとともに、
この係合部材が、挿入された上記第１カードの移動に伴って上記所定の退避位置に変位する第１係合部材と、この第１係合部材に回動可能に保持され、挿入された上記第２カードと当接し、この第２カードの移動に伴って回動した後、上記スライド部材を装置奥側へ摺動させる第２係合部材とから成ることを特徴とするカード用コネクタ装置。
【請求項２】
上記請求項１記載の発明において、
上記第１係合部材を、上記第２カードの挿入時にこの第２カードと係合しない位置に配置したことを特徴とするカード用コネクタ装置。
【請求項３】
上記請求項１記載の発明において、
上記第１カードは、その前端部の隅部に、斜めに切欠き形成され、上記第１係合部材と係合する斜縁部を有し、
上記第１係合部材を、上記第１カードの上記斜縁部との係合によって上記所定の退避位置に変位するように配置したことを特徴とするカード用コネクタ装置。
【請求項４】
上記請求項１記載の発明において、
上記第１係合部材を、上記スライド部材に回動可能に支持させたことを特徴とするカード用コネクタ装置。
【請求項５】
上記請求項１項記載の発明において、
上記所定の退避位置が、上記スライド部材に形成され、上記第１係合部材が収容される逃げ部から成ることを特徴とするカード用コネクタ装置。
【発明の詳細な説明】
【技術分野】
【０００１】
本発明は、第１カード、第２カードが選択的に装着される所定の装着位置を有するハウジングを備えたカード用コネクタ装置に関する。
【背景技術】
【０００２】
この種の先行技術として、本願出願人は先に特願２００４−１８１５９９に示すカード用コネクタ装置を提案した。この先行技術は、第１カード、及びこの第１カードに比べて長さ寸法の短い第２カードがそれぞれ装着される所定の装着位置を有するハウジングを備えている。
【０００３】
また、カード挿抜方向に摺動可能であって、ハウジングの所定の装着位置に装着された第１カード、あるいは第２カードを挿入口の方向へ排出するスライド部材と、このスライド部材をカード排出方向へ付勢する付勢部材と、スライド部材を付勢部材の付勢力に抗して上述の所定の装着位置にロックするロック手段とを備えている。上述したスライド部材は、第１カードが当接し、この第１カードの移動に伴ってこのスライド部材を装置奥側へ摺動させる当接部を有している。
【０００４】
そして特に、スライド部材に支持され、所定の退避位置と所定の突出位置との間で変位可能であって、上述した第２カードが係合可能な１つの係合部材を備えた構成になっている。
【０００５】
この先行技術は、第１カードが挿入された際には、この第１カードの挿入に伴って係合部材が上述の所定の退避位置に変位し、挿入された第１カードはスライド部材の当接部に当接する。したがって、第１カードをさらに押し込むと、この第１カードの移動に伴ってスライド部材が、装置奥側へ摺動し、第１カードが所定の装着位置に装着された状態でロック手段によってロックされる。これにより、第１カードに係る信号の送受信が可能となる。
【０００６】
また、第２カードが挿入された際には、この第２カードが係合部材に係合し、その状態から第２カードをさらに押し込むと、係合部材を介してこの第２カードの移動に伴ってスライド部材が、装置奥側へ摺動し、第２カードが所定の装着位置に装着された状態でロック手段によってロックされる。これにより、第２カードに係る信号の送受信が可能となる。
【発明の開示】
【発明が解決しようとする課題】
【０００７】
上述のように、本願出願人が先に提案した先行技術は、第１カードと、この第１カードに比べて短い第２カードの２つのカードの装着が可能であって、優れた信号送受信機能を確保することができる。しかしながら、第２カードが長期間にわたって使用された場合などにおいて、係合部材と係合すべき第２カードの部分が摩耗したときなどにあっては、係合部材と、挿入された第２カードとの間に滑りが生じ、このために第２カードが係合部材に係合しなくなる虞がある。このような事態を生じた場合には、第２カードの挿入に伴って、係合部材に上述した所定の退避位置方向へ変位させる力が伝えられてしまう。すなわち、係合部材が所定の退避位置へ変位する。その結果、係合部材を介して第２カードの移動に伴ってスライド部材を摺動させることができなくなり、第２カードを所定の装着位置に装着できないことが起こり得る。
【０００８】
本発明は、上述した従来技術における実状からなされたもので、その目的は、長期間にわたって使用された場合などであっても、第１カードに比べて長さが短い第２カードを所定の装着位置に確実に装着させることができるカード用コネクタ装置を提供することにある。
【課題を解決するための手段】
【０００９】
この目的を達成するために、本発明は、第１カード、及びこの第１カードに比べて長さ寸法の短い第２カードのそれぞれが装着される所定の装着位置を有するハウジングと、カード挿抜方向に摺動可能であって上記ハウジングの上記所定の装着位置に装着された上記第１カード、上記第２カードを挿入口の方向へ押し出すスライド部材と、このスライド部材をカード排出方向へ付勢する付勢部材と、上記スライド部材を、上記付勢部材の付勢力に抗して上記所定の装着位置に上記第１カード、あるいは上記第２カードが装着された状態でロックするロック手段とを備え、上記スライド部材は、上記第１カードが当接し、この第１カードの移動に伴ってこのスライド部材を装置奥側へ摺動させる当接部を有し、上記スライド部材に支持され、挿入された上記第１カードの移動を許容させる所定の退避位置と、挿入された上記第１カードと係合する所定の突出位置との間で変位可能な係合部材を備えるとともに、この係合部材が、挿入された上記第１カードの移動に伴って上記所定の退避位置に変位する第１係合部材と、この第１係合部材に回動可能に保持され、挿入された上記第２カードと当接し、この第２カードの移動に伴って回動した後、上記スライド部材を装置奥側へ摺動させる第２係合部材とから成ることを特徴としている。
【００１０】
このように構成した本発明は、第１カードが挿入された際には、第１カードによって第１係合部材が第２係合部材とともに所定の退避位置に変位し、挿入された第１カードはスライド部材の当接部に当接する。したがって、第１カードがさらに押し込まれると、この第１カードの移動に伴ってスライド部材が装置奥側へ摺動し、第１カードの所定の装着位置においてロック手段によってスライド部材がロックされる。これにより、第１カードに係る信号の送受信が可能となる。
【００１１】
また、第２カードが挿入された際には、この第２カードが、所定の突出位置にある第２係合部材に当接し、この第２係合部材を回動させる。第２カードがさらに押し込まれると、この第２係合部材を介して第２カードの移動に伴ってスライド部材が装置奥側へ摺動し、第２カードの所定の装着位置においてロック手段によってスライド部材がロックされる。これにより、第２カードに係る信号の送受信が可能となる。
【００１２】
すなわち、本発明は、第２カードが挿入された際に、第２カードの移動に伴って第２係合部材が第１係合部材に対して回動することによって、第２カードの押し込み力が第１係合部材に、この第１係合部材を退避させる力として伝えられることが抑えられる。すなわち、この第２カードの挿入時において、第１係合部材が所定の退避位置方向へ変位することを抑えられ、これに伴って第２係合部材を所定の退避位置方向へ変位させることなく所定の突出位置に安定して保持でき、第２カードと第２係合部材との精度の高い係合を実現させることができる。これにより、仮に第２カードが長期間使用された場合であっても、上述のようにこの第２カードを所定の装着位置に確実に装着させることができる。
【００１３】
また、本発明は、上記発明において、上記第１係合部材を、上記第２カードの挿入時にこの第２カードと係合しない位置に配置したことを特徴としている。このように構成した本発明は、第２カードの挿入時において、第１係合部材が所定の退避位置方向へ変位することを確実に防ぐことができる。
【００１４】
また、本発明は、上記発明において、上記第１カードは、その前端部の隅部に、斜めに切欠き形成され、上記第１係合部材と係合する斜縁部を有し、上記第１係合部材を、上記第１カードの上記斜縁部との係合によって上記所定の退避位置に変位するように配置したことを特徴としている。このように構成した本発明は、第１カードの挿入時において、第１カードの斜縁部によって第１係合部材を第２係合部材とともに確実に所定の退避位置へ変位させることができ、所定の装着位置まで第１カードを円滑に移動させることができる。
【００１５】
また、本発明は、上記発明において、上記第１係合部材を、上記スライド部材に回動可能に支持させたことを特徴としている。このように構成した本発明は、第１カードの挿入時において、第１係合部材を回動させて、この第１係合部材を第２係合部材とともに確実に所定の退避位置方向へ変位させることができる。
【００１６】
また、本発明は、上記発明において、上記所定の退避位置が、上記スライド部材に形成され、上記第１係合部材が収容される逃げ部から成ることを特徴としている。このように構成した本発明は、第１カードの挿入時において、第１係合部材をスライド部材の逃げ部に退避させることができる。
【発明の効果】
【００１７】
本発明は、第１カードに比べて長さの短い第２カードの挿入時には、この第２カードと当接して第２係合部材が回動し、第１係合部材を所定の退避位置へ変位させる力がこの第１係合部材に伝えられることが抑えられるとともに、第２係合部材を介してこの第２カードの移動に伴ってスライド部材を装置奥側へ摺動させることができる。すなわち、第２カードの挿入時において、第１係合部材及び第２係合部材を所定の退避位置方向へ変位させることなく所定の突出位置に安定して保持でき、第２カードと第２係合部材との精度の高い係合を実現させることができる。これにより、第２カードが長期間にわたって使用された場合などであっても、この第２カードを所定の装着位置に確実に装着させることができ、信頼性の高い装置とすることができる。
【発明を実施するための最良の形態】
【００１８】
以下，本発明に係るカード用コネクタ装置を実施するための最良の形態を図に基づいて説明する。
【００１９】
［本実施形態に使用される第１カード］
図１は本発明に係るカード用コネクタ装置の一実施形態に使用される第１カードを示す図で、（ａ）図は平面図、（ｂ）図は側面図である。
【００２０】
この図１に示すように、本実施形態で使用される第１カード１は、長さ寸法が比較的長く設定されている。この第１カード１の前端部１ａの一方の隅部には、斜めに切欠き形成された斜縁部１ｂを有する。また、裏面には第１カード１の長さ方向に沿う溝部１ｅを形成してある。図示しないが裏面の前端部１ａの付近には、信号の送受信に活用される接触部材を備えている。この第１カード１は、正しい挿入形態では、例えば手前側端部１ｄを把持して本実施形態のカード用コネクタ装置に挿入される。
【００２１】
［本実施形態に使用される第２カード］
図２は本実施形態に使用される第２カードを示す図で、（ａ）図は平面図、（ｂ）図は側面図である。
【００２２】
この図２に示すように、本実施形態で使用される第２カード２は、第１カード１に比べて長さ寸法を短く設定してある。この第２カード２の幅寸法は、例えば第１カード１の幅寸法と同じ寸法に設定してある。この第２カード２の前端部２ａの一方の隅部には、切欠き部２ｂを形成してある。図示しないが裏面の前端部２ａの付近には、信号の送受信に活用される接触部材を備えている。この第２カード２も、手前側端部２ｃを把持して本実施形態のカード用コネクタ装置に挿入される。
【００２３】
［本実施形態の構成］
図３は本実施形態において上方を覆うカバー部材を除いた状態を示す平面図、図４は本実施形態に備えられるスライド部材を示す図で、（ａ）図は平面図、（ｂ）図は左側面図、（ｃ）図は右側面図、（ｄ）図は正面図、（ｅ）図は背面図である。図５は本実施形態に備えられる第１係合部材を示す図で、（ａ）図は平面図、（ｂ）図は左側面図、（ｃ）図は右側面図、（ｄ）図は正面図、（ｅ）図は背面図である。図６は本実施形態に備えられる第２係合部材を示す図で、（ａ）図は平面図、（ｂ）図は左側面図、（ｃ）図は右側面図、（ｄ）図は正面図、（ｅ）図は背面図である。図７は図５に示す第１係合部材と図６に示す第２係合部材を組み合わせた状態を示す図で、（ａ）図は平面図、（ｂ）図は左側面図、（ｃ）図は右側面図、（ｄ）図は正面図、（ｅ）図は背面図である。
【００２４】
上方を覆うカバー部材を除いた図３に示すように、本実施形態は、本体を形成するハウジング３を備え、このハウジング３の手前側部分に、上述した第１カード１、第２カード２が挿入される挿入口３ａが形成されている。
【００２５】
このハウジング３の底部には、装置奥側に第１カード１が装着される所定の装着位置を形成する第１装着位置４ａを設けてあり、この第１装着位置４ａの手前側に第２カード２が装着される第２装着位置５ａが設けてある。第１装着位置４ａには、第１カード１の上述した接触部材と接触する複数の第１コンタクト端子４を配置してあり、第２装着位置５ａには、第２カード２の上述した接触部材と接触する複数の第２コンタクト端子５を配置してある。
【００２６】
ハウジング３の同図３の左側部分には、ハウジング３の第１装着位置４ａ、第２装着位置５ａにそれぞれ選択的に装着された第１カード１、第２カード２をカード排出方向へ押し出すスライド部材６を備えている。また、このスライド部材６に支持され、挿入された第１カード１の移動を許容させる所定の退避位置と、挿入された第１カード１と係合する所定の突出位置との間で変位可能な係合部材を備えている。この係合部材は、第１カード１との係合に伴って上述した所定の退避位置に変位する第１係合部材１０と、この第１係合部材１０に回動可能に保持され、第２カード２と当接し、この第２カード２の移動に伴って回動した後、スライド部材６を装置奥側へ移動させる第２係合部材１１とから成っている。第１係合部材１０は、第２カード２の挿入時にこの第２カード２と係合しない位置に予め配置してある。図３に示す状態は、第１係合部材１０と第２係合部材１１が、所定の突出位置に保持されている状態が示されている。
【００２７】
上述のスライド部材６は、図４に示すように、第１カード１の前端部１ａが当接する当接部６ａを備えている。また、上述した所定の退避位置を構成する逃げ部６ｂを備えている。すなわち、退避時には、第１係合部材１０は、このスライド部材６の逃げ部６ｂに収容されるようになっている。
【００２８】
第１係合部材１０は、図５に示すように、スライド部材６の逃げ部６ｂに形成した穴部６ｃに挿入される軸部１０ａを備えている。この軸部１０ａが穴部６ｃに挿入されることにより、第１係合部材１０はスライド部材６に回動可能に支持されている。図５に示すように、第１係合部材１０の先端部分には、穴部１０ｂを形成してあり、一方の側部には、第１係合部材１０が係合するガイド部１０ｃを形成してある。
【００２９】
上述の第１係合部材１０の穴部１０ｂには、図６に示す第２係合部材１１の軸部１１ａが挿入される。これにより、第２係合部材１１は第１係合部材１０に回動可能に支持されている。また、この第２係合部材１１には、同図６の（ａ）図に示すように突起部１１ｂを形成してある。
【００３０】
また、上述したスライド部材６には、図４の（ｂ）図に示すように、このスライド部材６をカード排出方向へ付勢する例えばコイルバネから成る図示しない付勢部材が係着されるばね受け６ｄを設けてある。さらに、このスライド部材６には、図４の（ａ）図に示すように、第２係合部材１１の上述した突起部１１ｂが係合し、この第２係合部材１１のそれ以上の回動を阻止する突起部６ｅを形成してある。
【００３１】
第１係合部材１０と第２係合部材１１とを組み合わせると、図７のようになるが、この状態において第２係合部材１１は図示しないばねにより例えば右回りに付勢されている。また、第１係合部材１０は、図３に示す状態において、図示しないばねにより例えば右回りに付勢されている。
【００３２】
また、本実施形態は、スライド部材６を、図示しない付勢部材の付勢力に抗して、第１装着位置４ａに第１カード１が装着された状態で、あるいは第２装着位置５ａに第２カード２が装着された状態でロックするロック手段を備えている。このロック手段は、図３に示すように、一端部８ａがハウジング３に揺動可能に支持され、他端部８ｂが同図３の裏面に向かうように伸設されるカムピンを有する揺動部材８と、この揺動部材８のカムピンが相対的に摺動するハートカム溝９とから構成されている。ハートカム溝９は、図４に示すように、スライド部材６に形成され、往路９ａと、復路９ｂと、ロック部９ｃとを有している。
【００３３】
また、本実施形態のスライド部材６は、図３，４に示すように、第１カード１及び第２カード２が挿入形態を誤って誤挿入された際に、第１カード１及び第２カード２のそれぞれ該当するカードが係合し、その該当するカードのスライド部材６に対する動きを規制する１つの規制部材１２を備えている。
【００３４】
この規制部材１２は、第１カード１が誤挿入され、この第１カード１がこの規制部材１２に係合した際に、この第１カード１の接触部材を第１装着位置４ａの第１コンタクト端子４に接触させない形状であって、第２カード２が誤挿入され、この第２カード２がこの規制部材１２に係合した際に、この第２カード２を第２装着位置５ａにロックさせない形状に設定してある。
【００３５】
例えば、この規制部材１２を細長形状に形成してあり、そのカード挿抜方向に沿う方向の長さ寸法を、第２カード２が誤挿入されてこの第２カード２が規制部材１２に係合し、この第２カード２が挿入口３ａに略一致する位置まで押し込まれる間、この第２カード２が第２装着位置５ａに至らない範囲で、スライド部材６を摺動可能にさせる長さ寸法に設定してある。
【００３６】
［第１カードの正しい挿入］
図８は本実施形態に第１カードが正しい形態で挿入された状態を示す平面図である。図９は本実施形態に挿入された第１カードが第１係合部材に接触し、この第１係合部材が回動し始めた状態を示す平面図、図１０は本実施形態に挿入された第１カードがスライド部材の当接部に当接するまで押し込まれた状態を示す平面図である。図１１は本実施形態に挿入された第１カードが第１装着位置に装着された状態を示す平面図である。
【００３７】
上述した図３に示すように、カードが挿入されていない状態では、図示しない付勢部材の付勢力により、スライド部材６は排出位置に保持され、第１係合部材１０及び第２係合部材１１は、同図３に示す所定の突出位置に保持されている。ロック手段を構成する揺動部材８のカムピンは、図４に示すハートカム溝９の往路９ａの奥側に位置している。
【００３８】
このような状態において、図８に示すように、長さ寸法の長い第１カード１がハウジンクグ３の挿入口３ａから挿入されると、この第１カード１の斜縁部１ｂが第１係合部材１０のガイド部１０ｃに係合する。この状態から第１カード１がさらに押し込まれると、第１係合部材１０を付勢する図示しないばねの力に抗して図９に示すように、第１係合部材１０が第２係合部材１１とともに、所定の退避位置方向に回動し始める。さらに第１カード１が押し込まれると、図１０に示すように、第１係合部材１０が所定の退避位置まで回動し、逃げ部６ｂ内に収容されるとともに、第１カード１の前端部１ａがスライド部材６の当接部６ａに当接する。なお、この間、スライド部材６の規制部材１２は、第１カード１の図１に示す逃げ溝１ｃ内に収容される。したがって、第１カード１の移動が規制部材１２によって阻止される事態を生じることがない。
【００３９】
この状態から、さらに第１カード１が押し込まれると、第１カード１とともにスライド部材６が図示しない付勢部材の付勢力に抗して装置奥側に向かって摺動し、図１１に示すように、第１カード１は第１装着位置４ａに至る。この間、スライド部材６の摺動に伴って揺動部材８のカムピンがハートカム溝９の往路９ａ上を相対的に摺動し、図４に示したロック部９ｃに係止される。これによりスライド部材６がロックされ、このスライド部材６の排出方向への摺動が阻止される。したがって、第１カード１は第１装着位置４ａに安定した状態で装着される。
【００４０】
このように、第１カード１が第１装着位置４ａに装着された状態では、第１カード１の裏面に形成された図示しない接触部材が第１コンタクト端子４に接触し、この第１カード１に係る信号の送受信が可能となる。
【００４１】
［第１カードの排出］
図１１に示すように、第１カード１が第１カード装着位置４ａに装着されている状態から、第１カード１を装置奥側に押してオーバーストロークさせると、スライド部材６の移動に伴って揺動部材８のカムピンがハートカム溝９のロック部９ｃから外れる。これにより、スライド部材６のロックが解除され、図示しない付勢部材の付勢力によってスライド部材６が排出方向に摺動する。この間、揺動部材８のカムピンがハートカム溝９の復路９ｂ上を相対的に摺動する。これにより、第１カード１がスライド部材６の当接部６ｂを介して押し出され、図１０に示す状態となる。
【００４２】
この状態において、第１カード１の手前側端部１ｄを把持することにより、第１カード１をハウジング３の挿入口３ａから抜き取ることができる。この第１カード１の抜き取り操作に伴って、第１係合部材１０及び第２係合部材１１は、上述した図３に示す初期状態に復帰する。
【００４３】
［第２カードの正しい挿入］
図１２は本実施形態に第２カードが正しい形態で挿入された状態を示す平面図、図１３は本実施形態に挿入された第２カードが第２係合部材に係合し、この第２係合部材が回動し始めた状態を示す平面図、図１４は本実施形態に挿入された第２カードが第２装着位置に装着された状態を示す平面図である。
【００４４】
上述した図３に示すカードが挿入されていない状態から、長さ寸法の短い第２カード２がハウジング３の挿入口３ａから挿入されると、図１２に示すように、第２カード２の前端部２ａが第２係合部材１１に当接し、図１３に示すように、挿入された第２カード２の移動に伴って、この第２係合部材１１を図示しないばねの力に抗して左回りに回動させる。これにより、同図１３に示すように、第２係合部材１１の突起部１１ｂがスライド部材６の突起部６ｅに係合し、第２係合部材１０のそれ以上の回動が阻止される。この間、第１係合部材１０のガイド部１０ｃは第２カード２の切欠き部２ｂ内に位置する。したがって、第２カード２の挿入時に、この第２カード２と第１係合部材１０との係合を生じることがない。
【００４５】
この状態から第２カード２がさらに押し込まれると、第２カード２の前端部２ａによって、第２係合部材１１が押され、スライド部材６が第２カード２の移動に伴って図示しない付勢部材の付勢力に抗して装置奥側に向かって摺動し、図１４に示すように、第２カード２は第２装着位置５ａに至る。この間、スライド部材６に支持された揺動部材８のカムピンがハートカム溝９の往路９ａ上を相対的に摺動し、ロック部９ｃにおいて係止される。これにより、スライド部材６がロックされ、第２カード２は第２装着位置５ａに安定した状態で装着される。
【００４６】
このように、第２カード２が第２装着位置５ａに装着された状態では、第２カード２の裏面に形成された図示しない接触部材が第２コンタクト端子５に接触し、この第２カード２に対する信号の送受信が可能となる。
【００４７】
［第２カードの排出］
図１４に示すように、第２カード２が第２装着位置５ａに装着されている状態から、第２カード２を装置奥側に押してオーバーストロークさせると、スライド部材６の移動に伴って揺動部材８のカムピンがハートカム溝９のロック部９ｃから外れる。これにより、スライド部材６のロックが解除され、図示しない付勢部材の付勢力によってスライド部材６が排出方向に摺動し、図１２に示す状態となる。この間、揺動部材８のカムピンがハートカム溝９の復路９ｂ上を相対的に摺動し、第２係合部材１１は図示しないばねの力により右回りに所定位置まで回動する。
【００４８】
図１２に示す状態まで排出された第２カード２は、手前側端部２ｃを把持することにより、ハウジング３の挿入口３ａから抜き取ることができる。第２カード２の抜き取りにより、上述した図３に示す初期状態に復帰する。
【００４９】
［第１カードの誤挿入］
図１５は本実施形態に第１カードが前後を逆にして誤挿入された状態を示す平面図、図１６は本実施形態に前後を逆にして誤挿入された第１カードが第１係合部材に接触した状態を示す平面図である。図１７は本実施形態に前後を逆にして誤挿入された第１カードが規制部材に係合した状態を示す平面図、図１８は本実施形態に前後を逆にして誤挿入された第１カードが規制部材に係合した後、さらに押し込まれてスライド部材がロックされた状態を示す平面図である。
【００５０】
図１５に示すように、第１カード１が例えば前後を逆にして挿入口３ａから誤挿入され、押し込まれると、図１６に示すように、第１カード１の手前側端部１ｄが第１係合部材１０のガイド部１０ｃに係合する。したがって、さらにこの第１カード１が押し込まれると、図１７に示すように、第１係合部材１０が回動し、第２係合部材１１とともに所定の退避位置、すなわち逃げ部６ｂに収容される。これとともに、第１カード１の手前側端部１ｄがスライド部材６に設けた規制部材１２に係合する。
【００５１】
この状態からさらに第１カード１が押し込まれると、第１カード１の移動に伴ってスライド部材６が規制部材１２を介して、図示しない付勢部材の付勢力に抗して装置奥側に向かって摺動する。この間、揺動部材８のカムピンがハートカム溝９の往路９ａ上を相対的に摺動し、図４に示したロック部９ｃに係止される。これにより図１８に示す状態となり、スライド部材６がロックされる。
【００５２】
この状態にあっては、第１カード１の前端部１ａ付近に設けられた図示しない接触部材は挿入口３ａの付近に、あるいは挿入口３ａの外部に位置する。したがって、この第１カード１の接触部材と、第１装着位置４ａの第１コンタクト端子４とが接触することがない。すなわち、第１カード１に係る信号の送受信を行なうことができない。
【００５３】
誤挿入であることに気付き、この第１カード１を装置奥側に押してオーバーストロークさせると、スライド部材６の移動に伴って揺動部材８のカムピンがハートカム溝９のロック部９ｃから外れる。これにより、スライド部材６のロックが解除され、図示しない付勢部材の付勢力によってスライド部材６が排出方向に摺動する。この間、揺動部材８のカムピンがハートカム溝９の復路９ｂ上を相対的に摺動する。これにより第１カード１がスライド部材６の規制部材１２を介して押し出され、図１７に示す状態となる。
【００５４】
この状態において、第１カード１の前端部１ａを把持することにより、この第１カード１をハウジング３の挿入口３ａから抜き取ることができる。
【００５５】
なお、上記では第１カード１の前後を逆にして誤挿入された場合について述べたが、第１カード１の表裏を逆にして誤挿入された場合も上述と同様である。
【００５６】
［第２カードの誤挿入］
図１９は本実施形態に第２カードが前後を逆にして誤挿入された状態を示す平面図、図２０は本実施形態に前後を逆にして誤挿入された第２カードが第１係合部材に係合し、この第１係合部材が回動し始めた状態を示す平面図である。図２１は本実施形態に前後を逆にして誤挿入された第２カードが規制部材に係合した状態を示す平面図、図２２は本実施形態に前後を逆にして誤挿入された第２カードが規制部材に係合した後、さらにこの第２カードの前端部が挿入口に略一致するまで押し込まれた状態を示す平面図である。
【００５７】
図１９に示すように、第２カード２が例えば前後を逆にして挿入口３ａから誤挿入され、押し込まれると、図１９，２０に示すように、第２カード２の手前側端部２ｃが第１係合部材１０のガイド部１０ｃに係合する。したがって、さらにこの第２カード２が押し込まれると、図２１に示すように、第２係合部材１２とともに、第１係合部材１０が回動し、第２カード２の手前側端部２ｃがスライド部材６に設けた規制部材１２に係合する。
【００５８】
この状態からさらに第２カード２が押し込まれると、第２カード２の移動に伴ってスライド部材６が規制部材１２を介して図示しない付勢部材の付勢力に抗して装置奥側に向かって摺動する。この間、揺動部材８のカムピンがハートカム溝９の往路９ａ上を相対的に摺動する。
【００５９】
図２２に示すように、第２カード２の前端部２ａが挿入口３ａに略一致するまでこの第２カード２が押し込まれても、揺動部材８のカムピンはハートカム溝９の往路９ａ上に位置する。このために、スライド部材６がロックされることがない。
【００６０】
したがって、誤挿入であることに気付き、第２カード２に与えていた押し込み力を除くことにより、図示しない付勢部材の付勢力によってスライド部材６がカード排出方向へ摺動する。その結果、このスライド部材６の規制部材１２を介して第２カード２が図２１に示す状態まで押し出される。
【００６１】
この状態において、第２カード２の前端部２ａを把持することにより、この第２カード２をハウジング３の挿入口３ａから抜き取ることができる。
【００６２】
なお、上記では第２カード２が前後を逆にして誤挿入された場合について述べたが、第２カード２の表裏を逆にして誤挿入された場合も上述と同様である。
【００６３】
［本実施形態の効果］
上述のように構成した本実施形態によれば、第２カード２が正しい形態で挿入口３ａから挿入された際に、第２カード２の当接により第２係合部材１１が第１係合部材１０に対して回動することによって、第２カード２の押し込み力が第１係合部材１０に伝えられることが抑えられる。すなわち、この第２カード２の挿入時において、第１係合部材１０が所定の退避位置方向へ変位することが抑えられ、これに伴って第２係合部材１１を所定の退避位置方向へ変位させることなく所定の突出位置に安定して保持でき、第２カード２と第２係合部材１１との精度の高い係合を実現させることができる。これにより、仮に第２カード２が長期間使用された場合であっても、上述のようにこの第２カード２を第２装着位置５ａに確実に装着させることができ、信頼性の高い装置とすることができる。
【００６４】
また、第１係合部材１０を、第２カード２の挿入時に、この第２カード２と係合しない位置に配置したことから、第２カード２の挿入時において、第１係合部材１０が所定の退避位置方向へ変位することを確実に防ぐことができ、第２カード２と第２係合部材１１との精度の高い係合の実現に貢献する。
【００６５】
また、第１カード１の挿入時において、第１カード１の斜縁部１ｂによって第１係合部材１０を第２係合部材１１とともに確実に所定の退避位置へ変位させることができ、第１装着位置４ａまで第１カード１を円滑に移動させることができ、この点でも信頼性の高い装置とすることができる。
【００６６】
また、第１係合部材１０をスライド部材６に回動可能に支持させたことから、第１カード１の挿入時において、第１係合部材１０を回動させて、この第１係合部材１０を第２係合部材１１とともに特に確実に所定の退避方向へ変位させることができ、第１カード１を第１装着位置４ａまで円滑に移動させることができる。
【００６７】
また、第１カード１の挿入時において、第１係合部材１０をスライド部材６の逃げ部６ｂに退避させることにより、この第１係合部材１０の退避動作を円滑に行なわせることができる。
【図面の簡単な説明】
【００６８】
【図１】本発明に係るカード用コネクタ装置の一実施形態に使用される第１カードを示す図で、（ａ）図は平面図、（ｂ）図は側面図である。
【図２】本実施形態に使用される第２カードを示す図で、（ａ）図は平面図、（ｂ）図は側面図である。
【図３】本実施形態において上方を覆うカバー部材を除いた状態を示す平面図である。
【図４】本実施形態に備えられるスライド部材を示す図で、（ａ）図は平面図、（ｂ）図は左側面図、（ｃ）図は右側面図、（ｄ）図は正面図、（ｅ）図は背面図である。
【図５】本実施形態に備えられる第１係合部材を示す図で、（ａ）図は平面図、（ｂ）図は左側面図、（ｃ）図は右側面図、（ｄ）図は正面図、（ｅ）図は背面図である。
【図６】本実施形態に備えられる第２係合部材を示す図で、（ａ）図は平面図、（ｂ）図は左側面図、（ｃ）図は右側面図、（ｄ）図は正面図、（ｅ）図は背面図である。
【図７】図５に示す第１係合部材と図６に示す第２係合部材を組み合わせた状態を示す図で、（ａ）図は平面図、（ｂ）図は左側面図、（ｃ）図は右側面図、（ｄ）図は正面図、（ｅ）図は背面図である。
【図８】本実施形態に第１カードが正しい形態で挿入された状態を示す平面図である。
【図９】本実施形態に挿入された第１カードが第１係合部材に接触し、この第１係合部材が回動し始めた状態を示す平面図である。
【図１０】本実施形態に挿入された第１カードがスライド部材の当接部に当接するまで押し込まれた状態を示す平面図である。
【図１１】本実施形態に挿入された第１カードが第１装着位置に装着された状態を示す平面図である。
【図１２】本実施形態に第２カードが正しい形態で挿入された状態を示す平面図である。
【図１３】本実施形態に挿入された第２カードが第２係合部材に係合し、この第２係合部材が回動し始めた状態を示す平面図である。
【図１４】本実施形態に挿入された第２カードが第２装着位置に装着された状態を示す平面図である。
【図１５】本実施形態に第１カードが前後を逆にして誤挿入された状態を示す平面図である。
【図１６】本実施形態に前後を逆にして誤挿入された第１カードが第１係合部材に接触した状態を示す平面図である。
【図１７】本実施形態に前後を逆にして誤挿入された第１カードが規制部材に係合した状態を示す平面図である。
【図１８】本実施形態に前後を逆にして誤挿入された第１カードが規制部材に係合した後、さらに押し込まれてスライド部材がロックされた状態を示す平面図である。
【図１９】本実施形態に第２カードが前後を逆にして誤挿入された状態を示す平面図である。
【図２０】本実施形態に前後を逆にして誤挿入された第２カードが第１係合部材に係合し、この第１係合部材が回動し始めた状態を示す平面図である。
【図２１】本実施形態に前後を逆にして誤挿入された第２カードが規制部材に係合した状態を示す平面図である。
【図２２】本実施形態に前後を逆にして誤挿入された第２カードが規制部材に係合した後、さらにこの第２カードの前端部が挿入口に略一致するまで押し込まれた状態を示す平面図である。
【符号の説明】
【００６９】
１    第１カード
１ａ  前端部
１ｂ  斜縁部
１ｃ  逃げ溝
１ｄ  手前側端部
２    第２カード
２ａ  前端部
２ｂ  切欠き部
２ｃ  手前側端部
３    ハウジング
３ａ  挿入口
４    第１コンタクト端子
４ａ  第１装着位置
５    第２コンタクト端子
５ａ  第２装着位置
６    スライド部材
６ａ  当接部
６ｂ  逃げ部
６ｃ  穴部
６ｄ  ばね受け
６ｅ  突起部
８    揺動部材（ロック手段）
８ａ  一端部
８ｂ  他端部
９    ハートカム溝（ロック手段）
９ａ  往路
９ｂ  復路
９ｃ  ロック部
１０    第１係合部材
１０ａ  軸部
１０ｂ  穴部
１０ｃ  ガイド部
１１    第２係合部材
１１ａ  軸部
１１ｂ  突起部
１２    規制部材
【図１】
2006351283.tif 000003
【図２】
2006351283.tif 000004
【図３】
2006351283.tif 000005
【図４】
2006351283.tif 000006
【図５】
2006351283.tif 000007
【図６】
2006351283.tif 000008
【図７】
2006351283.tif 000009
【図８】
2006351283.tif 000010
【図９】
2006351283.tif 000011
【図１０】
2006351283.tif 000012
【図１１】
2006351283.tif 000013
【図１２】
2006351283.tif 000014
【図１３】
2006351283.tif 000015
【図１４】
2006351283.tif 000016
【図１５】
2006351283.tif 000017
【図１６】
2006351283.tif 000018
【図１７】
2006351283.tif 000019
【図１８】
2006351283.tif 000020
【図１９】
2006351283.tif 000021
【図２０】
2006351283.tif 000022
【図２１】
2006351283.tif 000023
【図２２】
2006351283.tif 000024